(57)【要約】【課題】低温環境下であっても操作キーが押せなくなる不具合を防止でき、操作もしやすい携帯型入力端末を提供する。【解決手段】カバーシート１０は、携帯型入力端末２０のキー配置領域２１に対して貼付可能であり、水密性を有する１枚のシートとして形成されており、カバーシート１０を貼付することで操作キー２２の間に水滴が入り込むことを防止できる。また、凸部１２の表面に突起１３Ａ〜１３Ｍが形成されているため、突起１３Ａ〜１３Ｍに指が引っかかるので、低温環境などで手袋をしていても操作しやすくなっている。【選択図】図１
2020109575.tif 000002
【特許請求の範囲】
【請求項１】
複数の操作キーが配置された携帯型入力端末のキー配置領域に対して貼付可能なカバーシートであって、
前記キー配置領域を覆う水密性を有する１枚のシートとして形成されており、
前記複数の操作キーに対応するように表面側に突出した凸部を有することを特徴する、携帯型入力端末用のカバーシート。
【請求項２】
前記凸部の表面に突起が形成されていることを特徴する、請求項１記載の携帯型入力端末用のカバーシート。
【請求項３】
対応する前記操作キーの種類によって前記突起の形状が異なることを特徴する、請求項２記載の携帯型入力端末用のカバーシート。
【請求項４】
対応する前記操作キーの種類によって前記突起の高さが異なることを特徴する、請求項２または３記載の携帯型入力端末用のカバーシート。
【請求項５】
一部の前記凸部には、前記突起が形成されていないことを特徴する、請求項２〜４のいずれか１項に記載の携帯型入力端末用のカバーシート。
【請求項６】
一部の前記凸部には、裏面に前記操作キーの方向に突出する突出部が形成されており、
残りの前記凸部には、前記突出部が形成されていないことを特徴する、請求項１〜５のいずれか１項に記載の携帯型入力端末用のカバーシート。
【請求項７】
前記カバーシートは、前記操作キーの表面の印字を視認可能に透光性を有する材料で形成されていることを特徴する、請求項１〜６のいずれか１項に記載の携帯型入力端末用のカバーシート。
【発明の詳細な説明】
【技術分野】
【０００１】
この発明は、ハンディターミナルなどの携帯型入力端末用のカバーシートに関する。
【背景技術】
【０００２】
ハンディターミナルなどの携帯型入力端末は、屋外で使用することも想定されるため、防水性能を備えた機器が主流となっている。例えば、特許文献１には、液密状態を維持可能なシール構造を採用した携帯型入力端末が開示されている。このように防水機能を備えることで、急な天候の変化などで雨が降っても、機械への影響を最小限にとどめることができる。
【先行技術文献】
【特許文献】
【０００３】
【特許文献１】特開２００７−３１１５３２号公報
【発明の概要】
【発明が解決しようとする課題】
【０００４】
しかし、上記したような従来の携帯型入力端末は、低温環境で使用した場合に以下のような問題があった。
すなわち、こうした携帯型入力端末は防水機能を備えているため濡れた状態や結露した状態でも使用可能であるが、操作キーの間に水滴が入り込むと、この水滴が低温環境で凍結し、操作キーを押せない不具合が発生する場合があった。
【０００５】
また、こうした低温環境では、作業者が手袋をした状態で操作キーを操作することが考えられるが、手袋をしていると操作キーの段差を感じにくく、ブラインドタッチで操作しにくいという問題があった。特に、操作キーの間隔が狭い機種では、手袋をしていると操作キーの間の溝の感触を知覚できず、触感で操作キーの位置を認識することは困難であった。
【０００６】
そこで、本発明は、低温環境下であっても操作キーが押せなくなる不具合を防止でき、操作もしやすい携帯型入力端末を提供することを課題とする。
【課題を解決するための手段】
【０００７】
本発明は、上記した課題を解決するためになされたものであり、複数の操作キーが配置された携帯型入力端末のキー配置領域に対して貼付可能なカバーシートであって、前記キー配置領域を覆う水密性を有する１枚のシートとして形成されており、前記複数の操作キーに対応するように表面側に突出した凸部を有することを特徴する。
【発明の効果】
【０００８】
本発明は上記の通りであり、カバーシートは、携帯型入力端末のキー配置領域に対して貼付可能であり、水密性を有する１枚のシートとして形成されている。よって、カバーシートを貼付することで操作キーの間に水滴が入り込むことを防止できる。水滴が入り込まないので、低温環境で水滴が凍結して操作キーが押せなくなる不具合を防止することができる。そして、複数の操作キーに対応するように表面側に突出した凸部を有するため、作業者は凸部の触感で操作キーの位置を認識することができる。
【０００９】
また、凸部の表面に突起が形成されていてもよい。このような構成によれば、突起に指が引っかかるので、低温環境などで手袋をしていても操作しやすい。特に、操作キーの間隔が狭い機種であっても、突起の間隔を大きくすることで段差を感じやすくすることができるので、ブラインドタッチでも操作しやすくすることができる。
【００１０】
また、対応する操作キーの種類によって突起の形状が異なるようにしてもよい。このような構成によれば、触った感覚で操作キーの種類が分かるので、ブラインドタッチによる操作をしやすくすることができる。
【００１１】
また、対応する操作キーの種類によって突起の高さが異なるようにしてもよい。このような構成によれば、使用頻度の高い操作キーの突起を高くしたり、ブラインドタッチの起点となる操作キーの突起を高くしたりすることで、ブラインドタッチによる操作をしやすくすることができる。
【００１２】
また、一部の凸部には、突起が形成されていないようにしてもよい。このような構成によれば、使用頻度の低い操作キーにはあえて突起を設けないようにして、指先の情報量を減らすことができる。
【００１３】
また、一部の凸部には、裏面に操作キーの方向に突出する突出部が形成されており、残りの凸部には、突出部が形成されていないようにしてもよい。このような構成によれば、突出部が形成された凸部については軽く押下するだけで操作キーを押下でき、突出部が形成されていない凸部については深く押下しなければ操作キーを押下できないようにすることができる。よって、使用頻度の高い操作キーは押下しやすくすることができ、また、使用頻度の低い操作キーはあえて押下しにくくすることで誤操作を防止することができる。
【００１４】
また、カバーシートは、操作キーの表面の印字を視認可能に透光性を有する材料で形成されているようにしてもよい。このような構成によれば、作業者がカバーシートに透けて見える操作キーの印字を読み取ることができるので、目で確認しながらキー操作を行うことができる。
【図面の簡単な説明】
【００１５】
【図１】携帯型入力端末とカバーシートの外観図である。
【図２】シート本体の正面図である。
【図３】シート本体の背面図である。
【図４】接着シートの正面図である。
【図５】（ａ）凸部１２Ａの正面図、（ｂ）凸部１２ＡのＸ−Ｘ’線端面図、（ｃ）凸部１２Ｂの正面図、（ｄ）凸部１２ＢのＸ−Ｘ’線端面図、（ｅ）凸部１２Ｃの正面図、（ｆ）凸部１２ＣのＸ−Ｘ’線端面図である。
【図６】（ａ）凸部１２Ｄの正面図、（ｂ）凸部１２ＤのＸ−Ｘ’線端面図、（ｃ）凸部１２Ｅの正面図、（ｄ）凸部１２ＥのＸ−Ｘ’線端面図、（ｅ）凸部１２Ｆの正面図、（ｆ）凸部１２ＦのＸ−Ｘ’線端面図、（ｇ）凸部１２Ｇの正面図、（ｈ）凸部１２ＧのＸ−Ｘ’線端面図、（ｉ）凸部１２Ｈの正面図、（ｊ）凸部１２ＨのＸ−Ｘ’線端面図、（ｋ）凸部１２Ｉの正面図、（ｌ）凸部１２ＩのＸ−Ｘ’線端面図、（ｍ）凸部１２Ｊの正面図、（ｎ）凸部１２ＪのＸ−Ｘ’線端面図、（ｏ）凸部１２Ｋの正面図、（ｐ）凸部１２ＫのＸ−Ｘ’線端面図である。
【図７】（ａ）凸部１２Ｌの正面図、（ｂ）凸部１２ＬのＸ−Ｘ’線端面図、（ｃ）凸部１２ＬのＹ−Ｙ’線端面図、（ｄ）凸部１２Ｍの正面図、（ｅ）凸部１２ＭのＸ−Ｘ’線端面図、（ｆ）凸部１２ＭのＹ−Ｙ’線端面図である。
【図８】変形例に係るシート本体の正面図である。
【発明を実施するための形態】
【００１６】
本発明の実施形態について、図を参照しながら説明する。
本実施形態に係るカバーシート１０は、図１に示すような携帯型入力端末２０に貼付して使用されるものである。携帯型入力端末２０は、例えば在庫管理や棚卸しなどの作業に使用されるハンディターミナルである。なお、図１に示す携帯型入力端末２０は例であり、携帯型入力端末２０の形状等は特に限定されない。携帯型入力端末２０としては、少なくとも複数の操作キー２２が配置されたキー配置領域２１を備えていればよい。携帯型入力端末２０の操作キー２２は、ハウジングの表面に設けられた開口から突出した押しボタンスイッチである。キー配置領域２１に配置される操作キー２２は、テンキー、ファンクションキー、エンターキーなどである。
【００１７】
カバーシート１０は、このキー配置領域２１の全体を覆う大きさで、水密性を有する１枚のシートとして形成されている。具体的には、カバーシート１０は、図２および図３に示すようなシート本体１１と、図４に示すような接着シート１８と、からなる。
【００１８】
シート本体１１は、表面に凹凸を形成したシートであり、凸部１２と、この凸部１２の周囲に設けられた平坦な余白部１６と、を備える。このシート本体１１は、弾性および透光性を有する材料（透光性を有する合成樹脂など）で形成されている。このため、カバーシート１０をキー配置領域２１に貼り付けたときに、カバーシート１０を通して操作キー２２の表面の印字を視認可能となっている。
【００１９】
シート本体１１の表面に形成された凸部１２は、複数の操作キー２２に対応するように突出している。すなわち、すべての操作キー２２に１対１で対応して、操作キー２２の上に重なるように表面側に突出する凸部１２が形成されている。各凸部１２は、対応する操作キー２２よりも一回り大きく形成されており、携帯型入力端末２０の表面から突出した操作キー２２の表面と側面とを覆っている。また、この凸部１２の上面は平らに形成されており（後述する突起１３Ａ〜１３Ｍが形成された部分を除く）、この上面の高さは凸部１２すべてで共通して同じ高さに設定されている。
【００２０】
これらの凸部１２は、図２に示すように、表面に突起１３Ａ〜１３Ｍが形成されたものと、表面に突起が形成されていないものとがある。そして、突起１３Ａ〜１３Ｍが形成されたものでも、突起１３Ａ〜１３Ｍの形状が互いに異なるように形成されている。また、これらの凸部１２は、図３に示すように、裏面に突出部１４Ａ〜１４Ｉが形成されたものと、裏面に突出部が形成されていないものとがある。そして、突出部１４Ａ〜１４Ｉが形成されたものでも、突出部１４Ａ〜１４Ｉの形状が互いに異なるように形成されている。これらの突起１３Ａ〜１３Ｍおよび突出部１４Ａ〜１４Ｉの有無や形状は、凸部１２が覆っている操作キー２２の種類によって異なるように設定されている。
【００２１】
具体的には、本実施形態に係る突起１３Ａ〜１３Ｍは、「高」と「低」の２段階で高さが設定されており、どちらの高さに設定されるかは操作キー２２の種類によって決まっている。また、突起１３Ａ〜１３Ｍの形状は、操作キー２２の種類によって異なる。なお、これらの突起１３Ａ〜１３Ｍは、図２に示すように、平面視でそれぞれ凸部１２の内側に配置されている。このため、隣り合う突起１３Ａ〜１３Ｍの間隔が、隣り合う凸部１２の間隔よりも大きくなるように形成されている。
【００２２】
一方、凸部１２の裏面に形成された突出部１４Ａ〜１４Ｉは、本実施形態においては高さがすべて同じに設定されている。また、突出部１４Ａ〜１４Ｉの形状は、図３に示すように、平面視円形で共通となっている。
以下、複数の凸部１２のそれぞれについて、突起１３Ａ〜１３Ｍおよび突出部１４Ａ〜１４Ｉの有無や形状について説明する。
【００２３】
まず、図５（ａ）および（ｂ）に示すように、凸部１２Ａは、表面側に突起１３Ａを備えている。この突起１３Ａの高さは「高」であり、突起１３Ａの形状は、平面視円形で、上面が膨らんだ形状となっている。また、凸部１２Ａは、裏面側に突出部１４Ａを備えている。
【００２４】
また、図５（ｃ）および（ｄ）に示すように、凸部１２Ｂは、表面側に突起１３Ｂを備えている。この突起１３Ｂの高さは「高」であり、突起１３Ｂの形状は、平面視楕円形で、上面が膨らんだ形状となっている。また、凸部１２Ｂは、裏面側に突出部１４Ｂを備えている。
【００２５】
また、図５（ｅ）および（ｆ）に示すように、凸部１２Ｃは、表面側に突起１３Ｃを備えている。この突起１３Ｃの高さは「高」であり、突起１３Ｃの形状は、平面視円形で、上面が膨らんだ形状となっている。また、凸部１２Ｃは、裏面側に突出部１４Ｃを備えている。
【００２６】
また、図６（ａ）および（ｂ）に示すように、凸部１２Ｄは、表面側に突起１３Ｄを備えている。この突起１３Ｄの高さは「低」であり、突起１３Ｄの形状は、平面視で左向きを表す三角形状であり、上面が平らに形成されている。また、凸部１２Ｄは、裏面側に突出部１４Ｄを備えている。
【００２７】
また、図６（ｃ）および（ｄ）に示すように、凸部１２Ｅは、表面側に突起１３Ｅを備えている。この突起１３Ｅの高さは「低」であり、突起１３Ｅの形状は、平面視で下向きを表す三角形状であり、上面が平らに形成されている。また、凸部１２Ｅは、裏面側に突出部１４Ｅを備えている。
【００２８】
また、図６（ｅ）および（ｆ）に示すように、凸部１２Ｆは、表面側に突起１３Ｆを備えている。この突起１３Ｆの高さは「低」であり、突起１３Ｆの形状は、平面視で上向きを表す三角形状であり、上面が平らに形成されている。また、凸部１２Ｆは、裏面側に突出部１４Ｆを備えている。
【００２９】
また、図６（ｇ）および（ｈ）に示すように、凸部１２Ｇは、表面側に突起１３Ｇを備えている。この突起１３Ｇの高さは「低」であり、突起１３Ｇの形状は、平面視で右向きを表す三角形状であり、上面が平らに形成されている。また、凸部１２Ｇは、裏面側に突出部１４Ｇを備えている。
【００３０】
また、図６（ｉ）および（ｊ）に示すように、凸部１２Ｈは、表面側に突起１３Ｈを備えている。この突起１３Ｈの高さは「低」であり、突起１３Ｈの形状は、平面視円形で、上面が膨らんだ形状となっている。また、凸部１２Ｈは、裏面側に突出部１４Ｈを備えている。
【００３１】
また、図６（ｋ）および（ｌ）に示すように、凸部１２Ｉは、表面側に突起１３Ｉを備えている。この突起１３Ｉの高さは「高」であり、突起１３Ｉの形状は、平面視円形で、上面が膨らんだ形状となっている。また、凸部１２Ｉは、裏面側に突出部１４Ｉを備えている。
【００３２】
なお、上記した凸部１２Ｈおよび凸部１２Ｉは、テンキーを構成する操作キー２２に対応して設けられた凸部１２である。凸部１２Ｈと凸部１２Ｉの違いは、突起１３Ｈの高さが「低」であるのに対し、突起１３Ｉの高さが「高」である点である。本実施形態においては、テンキーの中央の操作キー２２（例えば「５」が割り当てられた操作キー２２）に対応して凸部１２Ｉが設けられ、その他のテンキーを構成する操作キー２２に対応して凸部１２Ｈが設けられている。このため、高さが「高」の突起１３Ｉを中心にテンキーが配置されており、ブラインドタッチがしやすい構成となっている。
また、図６（ｍ）および（ｎ）に示すように、凸部１２Ｊは、表面側に突起を備えていない。また、凸部１２Ｊは、裏面側に突出部を備えていない。
【００３３】
また、図６（ｏ）および（ｐ）に示すように、凸部１２Ｋは、表面側に突起１３Ｋを備えている。この突起１３Ｋの高さは「低」であり、突起１３Ｋの形状は、平面視円形で、上面が膨らんだ形状となっている。また、凸部１２Ｋは、裏面側に突出部を備えていない。
【００３４】
また、図７（ａ）、（ｂ）および（ｃ）に示すように、凸部１２Ｌは、表面側に突起１３Ｌを備えている。この突起１３Ｌの高さは「低」であり、突起１３Ｌの形状は、平面視長方形で、上面が斜めに傾斜した形状となっている。この凸部１２Ｌは、キー配置領域２１において最も手前側（作業者が携帯型入力端末２０持ったときの手前側）に配置される操作キー２２に対応して設けられており、上面が手前側に行くに従って高くなるように形成されている。このため、作業者の指が突起１３Ｌの上を滑ったときに、突起１３Ｌの傾斜に指がひっかかるように構成されている。また、凸部１２Ｌは、裏面側に突出部を備えていない。
【００３５】
また、図７（ｄ）、（ｅ）および（ｆ）に示すように、凸部１２Ｍは、表面側に突起１３Ｍを備えている。この突起１３Ｍの高さは「低」であり、突起１３Ｍの形状は、平面視長方形で、上面が平坦な形状となっている。また、凸部１２Ｍは、裏面側に突出部を備えていない。
【００３６】
このように、操作キー２２の重要度や種類によって、その操作キー２２を覆う凸部１２の表面に突出部１４Ａ〜１４Ｉを設けるか否かが決められており、また、突出部１４Ａ〜１４Ｉの平面形状や表面形状も互いに異なっている。よって、作業者は凸部１２を触った指の感覚で操作キー２２を把握することができ、ブラインドタッチがしやすくなっている。また、凸部１２の裏面に突出部１４Ａ〜１４Ｉを設けることで、特定の操作キー２２を押下しやすく構成されている。
【００３７】
このシート本体１１は、図４に示すような接着シート１８によって携帯型入力端末２０のキー配置領域２１に貼り付けられる。接着シート１８は、防水性の高い両面シールであり、片面がシート本体１１の裏面に貼り付けられている。本実施形態に係る接着シート１８は、図４に示すように、シート本体１１の凸部１２を避けるように開口部１８ａが設けられている。この開口部１８ａは、それぞれの凸部１２に対応して設けてもよいが、本実施形態においては、一列に配置された複数の凸部１２ごとに開口部１８ａを設けるようにしている。このため、開口部１８ａの数を減らすことができ、シート本体１１の裏面に接着シート１８を貼りつける作業が容易となっている。
【００３８】
このようにシート本体１１の裏面に接着シート１８を貼り付け、接着シート１８の反対面をキー配置領域２１に接着することで、カバーシート１０をキー配置領域２１に貼り付けることができる。なお、この接着シート１８も透光性を有する材料で形成されており、カバーシート１０をキー配置領域２１に貼り付けたときに、操作キー２２の印字の視認を妨げないようになっている。
【００３９】
以上説明したように、本実施形態によれば、カバーシート１０は、携帯型入力端末２０のキー配置領域２１に対して貼付可能であり、水密性を有する１枚のシートとして形成されている。よって、カバーシート１０を貼付することで操作キー２２の間に水滴が入り込むことを防止できる。水滴が入り込まないので、低温環境で水滴が凍結して操作キー２２が押せなくなる不具合を防止することができる。そして、複数の操作キー２２に対応するように表面側に突出した凸部１２を有するため、作業者は凸部１２の触感で操作キー２２の位置を認識することができる。
【００４０】
また、凸部１２の表面に突起１３Ａ〜１３Ｍが形成されている。このため、突起１３Ａ〜１３Ｍに指が引っかかるので、低温環境などで手袋をしていても操作しやすい。特に、操作キー２２の間隔が狭い機種であっても、突起１３Ａ〜１３Ｍの間隔を大きくすることで段差を感じやすくすることができるので、ブラインドタッチでも操作しやすい。
【００４１】
また、対応する操作キー２２の種類によって突起１３Ａ〜１３Ｍの形状が異なる。このため、触った感覚で操作キー２２の種類が分かるので、ブラインドタッチによる操作をしやすい。
【００４２】
また、対応する操作キー２２の種類によって突起１３Ａ〜１３Ｍの高さが異なる。このため、使用頻度の高い操作キー２２の突起１３Ａ〜１３Ｍを高くしたり、ブラインドタッチの起点となる操作キー２２の突起１３Ａ〜１３Ｍを高くしたりすることで、ブラインドタッチによる操作をしやすくすることができる。
【００４３】
また、一部の凸部１２には、突起１３Ａ〜１３Ｍが形成されていない。すなわち、使用頻度の低い操作キー２２にはあえて突起１３Ａ〜１３Ｍを設けていないので、作業者の指先の情報量を減らすことができる。
【００４４】
また、一部の凸部１２には、裏面に操作キー２２の方向に突出する突出部１４Ａ〜１４Ｉが形成されており、残りの凸部１２には、突出部１４Ａ〜１４Ｉが形成されていない。このため、突出部１４Ａ〜１４Ｉが形成された凸部１２については軽く押下するだけで操作キー２２を押下でき、突出部１４Ａ〜１４Ｉが形成されていない凸部１２については深く押下しなければ操作キー２２を押下できないようになっている。よって、使用頻度の高い操作キー２２は押下しやすくすることができ、また、使用頻度の低い操作キー２２はあえて押下しにくくすることで誤操作を防止することができる。
【００４５】
また、カバーシート１０は、操作キー２２の表面の印字を視認可能に透光性を有する材料で形成されている。このため、作業者がカバーシート１０に透けて見える操作キー２２の印字を読み取ることができるので、目で確認しながらキー操作を行うことができる。
【００４６】
なお、図８に示すように、カバーシート１０の表面に操作キー２２の種類を表示する印字部１５を設けてもよい。印字部１５は、カバーシート１０の表面に刻印により形成してもよいし、カバーシート１０の表面を盛り上がらせて形成してもよいし、インクなどで表示してもよい。また、印字部１５は、凸部１２の上面に設けてもよいし、凸部１２に隣接して余白部１６に設けてもよい。
【符号の説明】
【００４７】
１０  カバーシート
１１  シート本体
１２，１２Ａ〜１２Ｍ  凸部
１３Ａ〜１３Ｍ  突起
１４Ａ〜１４Ｉ  突出部
１５  印字部
１６  余白部
１８  接着シート
１８ａ  開口部
２０  携帯型入力端末
２１  キー配置領域
２２  操作キー
【図１】
2020109575.tif 000003
【図２】
2020109575.tif 000004
【図３】
2020109575.tif 000005
【図４】
2020109575.tif 000006
【図５】
2020109575.tif 000007
【図６】
2020109575.tif 000008
【図７】
2020109575.tif 000009
【図８】
2020109575.tif 000010